(57)【特許請求の範囲】
【請求項１】
冷蔵庫本体と、この本体の室内を構成し、室内を各室に仕切る中仕切部品を有する内箱と、前記本体の外装を構成し、前面にフランジ部と、このフランジ部の背面に前記内箱の端部が挿入される挿入部とを有する側板と、前記中仕切部品の前面に設けられ、左右端部に前記フランジ部とほぼ同じ厚さの前記挿入部に挿入される段部と、この段部の先端に前記本体奥行き方向に９０度以下にＲをつけて折り曲げられ、前記フランジ部との当接部が斜面となる折り曲げ部とを有する中仕切板と、前記中仕切部品と前記中仕切板との間及び前記側板と前記内箱との間に設けられ、前記本体前面の露付を防止する防露装置と、を備え、前記中仕切板の折り曲げ部を、前記側板の挿入部に挿入する際に前記防露装置に当接しないように構成した冷蔵庫の製造方法であって、
内箱組立の工程において、前記中仕切板を前記内箱の前記中仕切部品に取り付ける第１の中仕切板組立工程と、
外箱組立の工程において、前記中仕切板を前記内箱の前記中仕切部品に取り付ける第２の中仕切板組立工程と、
を切り替えて設定できることを特徴とする冷蔵庫の製造方法。
【発明の詳細な説明】
【０００１】
【発明の属する技術分野】
この発明は、多ドア冷蔵庫に係り、中仕切板の取付け時の中仕切板裏側の防露装置の保護と、冷蔵庫組み立てにおける工程変更に柔軟に対応できるような組立性の改善に関するものである。
【０００２】
【従来の技術】
図４、５は従来の冷蔵庫を示す図で、図４は一般に数種類の温度に各部屋を仕切られた多ドア冷蔵庫の箱体部分を示す図、図５は箱体の主な構成部品を示す分解図である。
図において、１は冷蔵庫本体の外装を板金にて構成する側板で、前面外周を折り曲げて前面フランジを形成している。前面フランジの裏側に折り曲げられて二重フランジ１０を形成した端部は略コの字形状に形成されている。
２はプラスチックを真空成形や射出成形などで形成した冷蔵庫室内を構成する内箱で、側板１の前面フランジに外周をはめ込まれて保持されている。
３は冷蔵庫前面の露付を防止する為に、側板１や板金で作られた中仕切板４の裏に配置されている防露装置で、図では冷媒配管である銅パイプの曲げ加工で作られているが、ヒーターなどの電気部品でもよい。
５は庫内を数室に区分けする為の中仕切部品である。
６は冷蔵庫箱体を支持する脚部品、７は冷蔵庫箱体の背面を構成する背面板である。
１１は中仕切板４を中仕切部品５に嵌合により固定するための爪である。
１２は同じく中仕切板４を中仕切部品５に締結により固定するためのネジである。
【０００３】
次に中仕切板端部の詳細と動作を説明する。
先ず、第１の従来例について説明する。
図６、図７は、第１の従来例を示す中仕切板端部の詳細を示す図で、図６は中仕切板端部の断面図、図７は同平面断面図である。
上記防露装置３は銅パイプによるもので、横辺は中仕切部品５前面と中仕切板４裏面に挟まれており、中仕切部品５の上下方向厚さの中に収まるピッチで２本配置され、縦辺は内箱２前面と側板１の間に挟まれており、中仕切板端部で適当なＲを以て曲げ加工により繋がっている。
中仕切板４はその端部に側板１の二重フランジ１０厚さとほぼ同じ段差の段部９が設けられている。
中仕切板４は中仕切部品５に爪１１、もしくはネジ１２などの締結部品により固定されている。
【０００４】
上記第１の従来例の動作を、図８を用いて説明する。
中仕切部品５に取り付けられた中仕切板４の端部は組立のばらつきにより、側板１の二重フランジ１０内に挿入されずに、製品外側にはみ出してしまったり、側板１の二重フランジ１０に当たり、組立不良が発生することがある。
【０００５】
次に、第２の従来例について説明する。
図９、図１０は、第２の従来例を示す中仕切板端部の詳細を示す図で、図９は中仕切板端部の斜視図、図１０は同平面断面図である。
第１の従来例のものに、中仕切板４の段部９の端部に設けられた製品奥行き方向に９０度以下に適当なＲを以て折り曲げた折り曲げ部８が追加されている。
【０００６】
上記第２の従来例の動作を、図１０、図１１を用いて説明する。
中仕切部品５に取り付けられた中仕切板４の端部の折り曲げ部８が側板１の二重フランジ１０内に挿入される時に、二重フランジ１０に当たり、スムースに挿入する事ができる反面、図１１に示すように内箱２を側板１に挿入後中仕切板４を組み立てる手順の組立方法では、中仕切板４の折り曲げ部８が防露装置３に当たり、防露装置３を傷つけ破損せしめる等の問題があった。
【０００７】
さらに、第３の従来例について説明する。
図１２、図１３は、第３の従来例を示す中仕切板端部の詳細を示す図で、中仕切板端部の斜視図である。
図１２に示すように中仕切板４の段部９はない。また、図１３に示すように中仕切板４の段部９は外箱組立以降の組立性向上のため短く設定されているので、中仕切板４を内箱組立の工程でも、外箱組立の工程でも取付けが可能であるが、中仕切板４と側板１の二重フランジ１０との間に隙間が出来やすく後工程にて隙間の補修が必要であったり、これを行わない場合中仕切板４と中仕切部品５との間に冷蔵庫室内の冷気が侵入、または防露装置３の熱が室内に侵入しやすい等で熱損失が大きくなる恐れがある。
【０００８】
【発明が解決しようとする課題】
従来の冷蔵庫の中仕切部は以上のように構成されているので、第１の従来例においては、中仕切板４の端部は組立のばらつきにより、側板１の二重フランジ１０内に挿入されずに、製品外側にはみ出してしまったり、側板１の二重フランジ１０に当たり、組立不良が発生することがある。
また、第２の従来例においては、中仕切板４の折り曲げ部８が防露装置３に当たり、防露装置３を傷つけ破損せしめる等の問題があった。
さらに、第３の従来例においては、中仕切板４と側板１の二重フランジ１０との間に隙間が出来やすく後工程にて隙間の補修が必要であったり、これを行わない場合中仕切板４と中仕切部品５との間に冷蔵庫室内の冷気が侵入、または防露装置３の熱が室内に侵入しやすい等で熱損失が大きくなる恐れがあった。
【０００９】
この発明は、上記のような問題点を解消するためになされたもので、中仕切板を内箱組立の工程でも、外箱組立の工程でも取付けが可能なように組立工程に柔軟性をもたらすとともに、防露装置を傷つけ破損せしめる恐れが少なく、かつ中仕切板と側板との間に隙間が出来にくい品質の安定した冷蔵庫を提供することを目的としている。
【００１０】
【課題を解決するための手段】
この発明に係る冷蔵庫は、冷蔵庫本体と、この本体の室内を構成し、室内を各室に仕切る中仕切部品を有する内箱と、本体の外装を構成し、前面にフランジ部と、このフランジ部の背面に内箱の端部が挿入される挿入部とを有する側板と、中仕切部品の前面に設けられ、左右端部にフランジ部とほぼ同じ厚さの挿入部に挿入される段部と、この段部の先端に本体奥行き方向に９０度以下にＲをつけて折り曲げられ、フランジ部との当接部が斜面となる折り曲げ部とを有する中仕切板と、中仕切部品と中仕切板との間及び側板と内箱との間に設けられ、本体前面の露付を防止する防露装置とを備え、中仕切板の折り曲げ部を、側板の挿入部に挿入する際に防露装置に当接しないように構成したものである。
【００１１】
また、防露装置を中仕切部品の上下方向厚さの範囲に収まる間隔で２本配置し、中仕切板の折り曲げ部の上下方向長さを２本の防露装置間の間隔より短くして、それらの間に配置される構成としたものである。
【００１２】
また、防露装置を、発熱部品で構成したものである。
【００１３】
また、発熱部品を、冷媒配管である銅パイプで構成したものである。
【００１４】
また、発熱部品を、電気ヒータで構成したものである。
【００１５】
この発明に係る冷蔵庫の製造方法は、請求項１記載の冷蔵庫の製造方法であって、内箱組立の工程において、中仕切板を内箱の中仕切部品に取り付ける第１の中仕切板組立工程と、外箱組立の工程において、中仕切板を内箱の中仕切部品に取り付ける第２の中仕切板組立工程とを切り替えて設定できるものである。
【００１６】
【発明の実施の形態】
実施の形態１．
以下、この発明の実施の形態１を図面を参照して説明する。
図１〜３は、この発明の実施の形態１を示す図で、図１は冷蔵庫箱体の中仕切板端部の詳細を示す斜視図、図２は冷蔵庫箱体の中仕切板端部を示す平面断面図、図３は冷蔵庫の部分な組立工程図である。
図において、１は冷蔵庫本体の外装を板金にて構成する側板で、前面外周を折り曲げて前面フランジを形成している。前面フランジの裏側に折り曲げられてフランジである二重フランジ１０を形成した端部は挿入部となるように略コの字形状に形成されている。
２はプラスチックを真空成形や射出成形などで形成した冷蔵庫室内を構成する内箱で、側板１の前面フランジに外周をはめ込まれて保持されている。
３は冷蔵庫前面の露付を防止する為に側板１や板金で作られた中仕切板４の裏に配置されている防露装置である。
【００１７】
中仕切板４は、図５に示した上側の中仕切部品５に爪１１による嵌合や、同じく下側の中仕切部品５にネジ１２による締結などで固定されている。図５では中仕切部品５が二つあり、上を爪１１、下をネジ１２により固定する例を示したが、固定方法は場合により爪１１だけの固定でも、ネジだけの固定でもよく、または中仕切部品５の数により各固定方法を組合わせてもよい。
５は庫内を数室に区分けする為の中仕切部品である。
【００１８】
次に中仕切板端部の詳細を図１、図２について説明する。
上記防露装置３は、冷媒配管である銅パイプによるもので、横辺は中仕切部品５前面と中仕切板４裏面に挟まれており、中仕切部品５の上下方向厚さの中に収まるピッチで２本配置され、縦辺は内箱２前面と側板１の間に挟まれており、中仕切板端部で適当なＲを以て曲げ加工により繋がっている。
【００１９】
中仕切板４の端部には、側板１の二重フランジ１０厚さとほぼ同じ段部９が設けられている。この段部９の端部には製品奥行き方向に９０度以下に適当なＲを以て折り曲げ部８が設けられており、この折り曲げ部８の裏側には防露装置３が配置されないようにする。
例えば、図１に示すように折り曲げ部８の上下方向の長さを、図９に示した従来の冷蔵庫のものより短くして折り曲げ部８が２本の防露装置３の間に位置するようにし、折り曲げ部８の裏側には防露装置３が配置されないようにする。
【００２０】
次に組立工程を図３について説明する。
中仕切板４の端部を上記のように構成することにより、中仕切板４を内箱組立の工程でも、外箱組立の工程でも取付けが可能で、以下に示す第１の中仕切板組立工程である工程１と、第２の中仕切板組立工程である工程２のどちらでも選択が可能になる。
【００２１】
先ず、工程１について説明する。
内箱組立の工程で、内箱周りの各種部品を冷蔵庫へ組付け、中仕切板４を内箱２の中仕切部品５に取り付ける。その後、外箱組立の工程で、内箱組立で部品組み付けの終わった内箱２を側板１に組み合わせる。
【００２２】
上記工程１においては、中仕切板４が端部に折り曲げ部８を有するので、内箱２に側板１を組み合わせる際に、側板１の二重フランジ１０に中仕切板４端部の折り曲げ部８の斜面が当たり、スムーズに中仕切板４を側板１の二重フランジ１０裏側に挿入できる。
【００２３】
次に、工程２について説明する。
内箱組立の工程で、内箱周りの各種部品を冷蔵庫へ組付ける。その後、外箱組立の工程で、中仕切板４が取り付けられていない内箱２を側板１に挿入組立る。そして、側板１周りの各種部品を取付る。さらに、内箱２と側板１との間の隙間に中仕切板４を挿入する。
【００２４】
上記工程２においては、防露装置３が取り付けられた内箱２が挿入保持されている側板１に手前側から斜めに中仕切板４を中仕切部品５に挿入するが、上記折り曲げ部８は防露装置３が無い部分に位置するので、防露装置３に当たることなく中仕切板４を冷蔵庫箱体に挿入できる。
また、分解と再組立においても防露装置３への傷つきを防止することができるとともに、分解性が容易である効果を得ることができる。
【００２５】
実施の形態２．
なお、上記実施の形態１では、防露装置３として冷媒配管であるは銅パイプを用いたものを示したが、発熱部品であればヒータなどの電気部品でもよく、実施の形態１と同様の効果を奏する。
【００２６】
実施の形態３．
また、実施の形態１および２で、防露装置は１枚の中仕切板４裏側に２本入っているものをしめしたが、２本でなくても１本でも同様の効果を奏する。
【００２７】
【発明の効果】
この発明に係る冷蔵庫は、中仕切板の折り曲げ部を、側板の挿入部に挿入する際に防露装置に当接しないように構成したので、品質の安定した製品が安価にできる。
【００２８】
この発明に係る冷蔵庫の製造方法は、内箱組立の工程において、中仕切板を内箱の中仕切部品に取り付ける第１の中仕切板組立工程と、外箱組立の工程において、中仕切板を内箱の中仕切部品に取り付ける第２の中仕切板組立工程とを切り替えて設定できるので、組立工程の変更にも柔軟に対応できる。
【図面の簡単な説明】
【図１】  この発明の実施の形態１による冷蔵庫箱体の中仕切端部を示す斜視図である。
【図２】  実施の形態１による冷蔵庫箱体の中仕切端部を示す平面断面図である。
【図３】  実施の形態１による冷蔵庫の部分的な組立工程図である。
【図４】  従来の冷蔵庫箱体を示す斜視図である。
【図５】  従来の冷蔵庫箱体構成を示す分解斜視図である。
【図６】  従来の冷蔵庫箱体の中仕切端部を示す平面断面図である。
【図７】  従来の冷蔵庫箱体の中仕切端部を示す斜視図である。
【図８】  従来の冷蔵庫箱体の中仕切端部動作を示す平面断面図である。
【図９】  従来の冷蔵庫箱体の中仕切端部を示す斜視図である。
【図１０】  従来の冷蔵庫箱体の中仕切端部動作を示す平面断面図である。
【図１１】  従来の冷蔵庫箱体の中仕切端部動作を示す平面断面図である。
【図１２】  従来の冷蔵庫箱体の中仕切端部動作を示す平面斜視図である。
【図１３】  従来の冷蔵庫箱体の中仕切端部動作を示す斜視図である。
【符号の説明】
１  側板、２  内箱、３  防露装置、４  中仕切板、５  中仕切部品、６  脚部品、７  背面板、８  折り曲げ部、９  段部、１０  二重フランジ、１１  爪、１２  ネジ。
【図１】
0003957909.tif 000002
【図２】
0003957909.tif 000003
【図３】
0003957909.tif 000004
【図４】
0003957909.tif 000005
【図５】
0003957909.tif 000006
【図６】
0003957909.tif 000007
【図７】
0003957909.tif 000008
【図８】
0003957909.tif 000009
【図９】
0003957909.tif 000010
【図１０】
0003957909.tif 000011
【図１１】
0003957909.tif 000012
【図１２】
0003957909.tif 000013
【図１３】
0003957909.tif 000014